(57)【要約】【課題】装置回路を大型化することなく、ＬＥＤ(発光ダイオード)の故障状態と正常状態とを確実に区別することができるようにする。【解決手段】複数のＬＥＤ１ａ〜１ｎに入力信号２ａ〜２ｎを入力し点灯させることにより状態表示などを行うに際して、入力信号２ａ〜２ｎにより点灯すべきＬＥＤ１ａ〜１ｎの数が奇数(または偶数)となるパリティを算出するパリティ算出手段３と、パリティ算出手段３による算出結果を表示するパリティＬＥＤ４とを設け、点灯しているＬＥＤ１ａ〜１ｎの数と点灯しているパリティＬＥＤ４の数の合計に基づいてＬＥＤ１ａ〜１ｎの故障を検知できるようにする。【選択図】図１
2010165083.tif 000002
【特許請求の範囲】
【請求項１】
入力信号を複数の表示灯に入力し点灯させることにより状態表示などを行う表示装置において、上記入力信号により点灯すべき上記表示灯の数が奇数(または偶数)となるパリティを算出するパリティ算出手段と、上記パリティ算出手段による算出結果を表示するパリティ表示灯とを設け、点灯している上記表示灯の数と点灯している上記パリティ表示灯の数の合計に基づいて上記表示灯の故障を検知することを特徴とする表示装置。
【請求項２】
複数の表示灯に入力される入力信号により点灯すべき上記表示灯の数が奇数(または偶数)となるパリティを算出するステップと、
上記パリティ算出結果をパリティ表示灯に表示させ、点灯している上記表示灯の数と点灯している上記パリティ表示灯の数の合計に基づいて上記表示灯の故障を検知するステップからなる表示装置の故障検知方法。
【発明の詳細な説明】
【技術分野】
【０００１】
この発明は、ＬＥＤ(発光ダイオード)等からなる表示灯による表示装置に関するものであり、特に表示灯の故障を検知することのできる表示装置及び表示装置の故障検知方法に関するものである。
【背景技術】
【０００２】
従来の計算機などにおいては、表示装置を用いて、状態表示や設定表示などを行っている。又システムの監視、表示、警報または制御などを行う装置においては連続して運転することが求められているため、表示装置により運転状態などを表示している。
【０００３】
上記のような計算機及び装置において、表示装置により状態表示や設定表示を行うにあたっては、高い信頼性が求められており、従来故障検知機構として、オンオフセンサにおけるスイッチを多重化することにより故障の有無を検知し、信頼性の向上を図るものがあった(特許文献１参照)。
【先行技術文献】
【特許文献】
【０００４】
【特許文献１】特開平０９−００５１２５号公報
【発明の概要】
【発明が解決しようとする課題】
【０００５】
上記特許文献１に示された故障検知機構を表示装置に適用した場合、表示灯を多重化することにより、装置回路が大きくなってしまうという問題点があった。又例えばある表示灯が故障して消灯したままとなっていても、表示灯が故障して消灯しているのか、現在の状態が消灯状態であるのかを区別することができないという問題点もあった。
【０００６】
この発明は上記のような課題を解決するためになされたものであり、装置回路を大型化することなく、表示灯の故障状態と正常状態とを確実に区別することのできる表示装置及び表示装置の故障検知方法を提供することを目的とする。
【課題を解決するための手段】
【０００７】
この発明に係る表示装置は、入力信号を複数の表示灯に入力し点灯させることにより状態表示などを行うものであって、入力信号により点灯すべき表示灯の数が奇数(または偶数)となるパリティを算出するパリティ算出手段と、パリティ算出手段による算出結果を表示するパリティ表示灯とを設け、点灯している表示灯の数と点灯しているパリティ表示灯の数の合計に基づいて表示灯の故障を検知するようにしたものである。
【０００８】
又この発明に係る表示装置の故障検知方法は、複数の表示灯に入力される入力信号により点灯すべき表示灯の数が奇数(または偶数)となるパリティを算出するステップと、パリティ算出結果をパリティ表示灯に表示させ、点灯している表示灯の数と点灯しているパリティ表示灯の数の合計に基づいて表示灯の故障を検知するステップからなるものである。
【発明の効果】
【０００９】
この発明に係る表示装置によれば、入力信号を複数の表示灯に入力し点灯させることにより状態表示などを行うものであって、入力信号により点灯すべき表示灯の数が奇数(または偶数)となるパリティを算出するパリティ算出手段と、パリティ算出手段による算出結果を表示するパリティ表示灯とを設け、点灯している表示灯の数と点灯しているパリティ表示灯の数の合計に基づいて表示灯の故障を検知するようにしたので、装置を大型化することなく、表示灯の故障状態と正常状態とを正確に区別することができる。
【００１０】
又この発明に係る表示装置の故障検知方法によれば、複数の表示灯に入力される入力信号により点灯すべき表示灯の数が奇数(または偶数)となるパリティを算出するステップと、パリティ算出結果をパリティ表示灯に表示させ、点灯している表示灯の数と点灯しているパリティ表示灯の数の合計に基づいて表示灯の故障を検知するステップからなるので、装置を大型化することなく、表示灯の故障状態と正常状態とを正確に区別することができる。
【図面の簡単な説明】
【００１１】
【図１】この発明の実施の形態１による表示装置の内部構成を示すブロック構成図である。
【図２】この発明の実施の形態２による表示装置の内部構成を示すブロック構成図である。
【図３】出力パターンの一例を示す表である。
【図４】この発明の実施の形態３による表示装置の内部構成を示すブロック構成図である。
【発明を実施するための形態】
【００１２】
実施の形態１．
図１はこの発明の実施の形態１による表示装置の内部構成を示すブロック構成図である。尚本発明においては、表示灯としてＬＥＤ(発光ダイオード)を使用する場合について説明する。
【００１３】
図において、表示装置は、状態表示などを行うＬＥＤ１ａ〜１ｎと、ＬＥＤ１ａ〜１ｎに入力される入力信号２ａ〜２ｎと、入力信号２ａ〜２ｎに基づいて点灯しているＬＥＤ１ａ〜１ｎの数の合計が奇数(または偶数)となるパリティを計算するパリティ算出手段３と、パリティ算出手段３の算出結果を表示するパリティＬＥＤ(パリティ表示灯)４とを有している。パリティの計算は以下奇数を基準とし、即ち点灯しているＬＥＤの数の合計が奇数の場合はパリティが０となり、偶数の場合はパリティが１となる場合について説明するが、パリティの計算において偶数を基準にしても良い。
【００１４】
ＬＥＤ１ａ〜１ｎは入力信号２ａ〜２ｎに基づいて点灯され、ＬＥＤ１ａ〜１ｎの点灯状態により、状態表示などを行う。パリティ算出手段３は、入力信号２ａ〜２ｎにより点灯しているＬＥＤ１ａ〜１ｎの数の合計によりパリティを計算し、算出結果をパリティＬＥＤ４に表示する。
【００１５】
例えば点灯しているＬＥＤ１ａ〜１ｎの数が４個の場合、偶数であるのでパリティ算出手段３の算出結果は１となり、パリティＬＥＤ４は点灯する。点灯しているＬＥＤの数が３個の場合はパリティ算出手段３の算出結果は０となり、パリティＬＥＤ４は点灯しない。
【００１６】
点灯すべきＬＥＤが１個故障した場合、点灯しているＬＥＤの数とパリティＬＥＤ４点灯数の和が偶数となり、ＬＥＤ１ａ〜１ｎの故障を検知することができる。例えば故障しておらず点灯すべきＬＥＤの数が４個で、パリティＬＥＤ４が点灯状態にある場合において、点灯していた４個のＬＥＤのうちの１個が故障したとき、３個のＬＥＤが点灯することになる。これに対してパリティＬＥＤ４には入力信号２ａ〜２ｎが正常に入力されているので点灯状態となり、点灯しているＬＥＤの数とパリティＬＥＤ４点灯数の和が４、即ち偶数となることから、ＬＥＤ１ａ〜１ｎのうちのいずれかが故障していることを検知することができる。
【００１７】
上記においてはＬＥＤ１ａ〜１ｎのうちの１個が故障した場合を示したが、１個以外の奇数個(例えば３個)故障した場合においても故障を検知することができる。ただしＬＥＤ１ａ〜１ｎのうちのどのＬＥＤが故障したのかは特定できず、又ＬＥＤ１ａ〜１ｎのうちの偶数個故障した場合及び消灯しているＬＥＤが故障している場合には故障を検知できない。
【００１８】
実施の形態２．
図２はこの発明の実施の形態２による表示装置の内部構成を示すブロック構成図である。本実施形態においては、ＬＥＤ診断手段１１及びＬＥＤ診断手段１１を操作する診断ボタン１２を設けたものである。上記実施の形態１では、消灯しているＬＥＤ１ａ〜１ｎが故障した場合や、点灯しているＬＥＤ１ａ〜１ｎのうちの２個(偶数個)が故障した場合には、ＬＥＤ１ａ〜１ｎの故障を検知することができないが、本実施形態においては、ＬＥＤ診断手段１１を設けたので、このような場合にもＬＥＤ１ａ〜１ｎの故障を検知することができるものである。
【００１９】
ＬＥＤ診断手段１１は診断ボタン１２を押下すると、入力信号２ａ〜２ｎではなく、ＬＥＤ診断手段１１が出力する出力パターンがＬＥＤ１ａ〜１ｎに入力され、ＬＥＤ１ａ〜１ｎを点灯させる。ＬＥＤ診断手段１１の出力パターンにより、ＬＥＤの点灯数とパリティＬＥＤ４点灯数の和をチェックすることにより、ＬＥＤ１ａ〜１ｎの故障を検知することができる。
【００２０】
次にＬＥＤ１ａ〜１ｎのうちの偶数個(例えば２個)が故障した場合にでも故障を検知することのできる出力パターンの例について以下説明する。例としてＬＥＤ１ａ〜１ｅの５個のＬＥＤのうちＬＥＤ１ａとＬＥＤ１ｄの２個のＬＥＤが故障しており、更に出力パターンとして出力パターンＡ、Ｂ、Ｃの３パターンを用意する場合について説明する。
【００２１】
図３は出力パターンＡ、Ｂ、ＣとＬＥＤ１ａ〜１ｅ及びパリティＬＥＤ４との相関関係を示す表であり、図において、先ずＬＥＤ１ａ、１ｂを点灯させるための出力パターンＡをＬＥＤ診断手段１１が出力する。
【００２２】
このときパリティ算出手段３には２個のＬＥＤを点灯させるための信号が入力されるので、パリティＬＥＤ４は点灯することとなるが、ＬＥＤ１ａは故障しているので、ＬＥＤ１ｂのみが点灯し、従って点灯しているＬＥＤと点灯しているパリティＬＥＤ４との合計は２となり偶数であるので、ＬＥＤ１ａとＬＥＤ１ｂのどちらか１つが故障していることを検知できる。
【００２３】
次にＬＥＤ１ｂ、１ｃを点灯させるための出力パターンＢをＬＥＤ診断手段１１が出力する。このときパリティ算出手段３には２個のＬＥＤを点灯させるための信号が入力されるので、パリティＬＥＤ４は点灯することになるとともに、ＬＥＤ１ｂとＬＥＤ１ｃは点灯するので、点灯しているＬＥＤと点灯しているパリティＬＥＤ４との合計は３となり、奇数であるので、正常であることが検知できる。
【００２４】
次にＬＥＤ１ｃ、１ｄを点灯させるための出力パターンＣをＬＥＤ診断手段１１が出力する。このときパリティ算出手段３には２個のＬＥＤを点灯させるための信号が入力されるので、パリティＬＥＤ４は点灯することになるが、ＬＥＤ１ｄは故障しているので、ＬＥＤ１ｃのみが点灯し、従って点灯しているＬＥＤと点灯しているパリティＬＥＤ４との合計は２となり、偶数であるので、ＬＥＤ１ｄが故障していることを検知できる。従ってこのような出力パターンＡ、Ｂ、Ｃを出力すれば偶数個のＬＥＤが故障しても故障を検知することができる。出力パターンとしては上記のような出力パターンＡ、Ｂ、Ｃの他にも様々な出力パターンが考えられる。
【００２５】
実施の形態３．
図４はこの発明の実施の形態３による表示装置の内部構成を示すブロック構成図である。本実施形態においては試験装置２１及び試験装置通信手段２２を設けたものである。上記実施の形態２では、ＬＥＤ診断手段１１が出力する出力パターンによりＬＥＤ１ａ〜１ｎの故障を検知した場合を示したが、本実施形態においては、試験装置通信手段２２を介して、試験装置２１を接続することにより、試験装置２１から所望の出力パターンをＬＥＤ１ａ〜１ｎ及びパリティ算出手段３に入力したものである。
【００２６】
試験装置通信手段２２に試験装置２１を接続すると、入力信号２ａ〜２ｎではなく、試験装置２１が出力する出力パターンがＬＥＤ１ａ〜１ｎに入力され、ＬＥＤ１ａ〜１ｎを点灯させる。試験装置２１から所望の出力パターンをＬＥＤ１ａ〜１ｎに入力し、ＬＥＤ１ａ〜１ｎの点灯数とパリティＬＥＤ４点灯数の和をチェックすることにより、ＬＥＤ１ａ〜１ｎの故障を検知することができる。尚出力パターンの具体例は上記実施の形態２で示したものと同様である。
【００２７】
上記実施の形態２においては、診断ボタン１２を操作することにより、予め決められた出力パターンのみしかＬＥＤ診断手段１１から出力することができないが、本実施形態によれば、試験装置２１によって必要な出力パターンを選択することができ、出力パターンの多様化を図ることができる。
【符号の説明】
【００２８】
１ａ〜１ｎ  ＬＥＤ、２ａ〜２ｎ  入力信号、３  パリティ算出手段、
４  パリティＬＥＤ。
【図１】
2010165083.tif 000003
【図２】
2010165083.tif 000004
【図３】
2010165083.tif 000005
【図４】
2010165083.tif 000006